(57)【要約】【課題】視聴年齢制限が有る番組しか放送しない放送局に対する番組表を放送局名から表示しないように設定することも可能な放送受信装置を提供する。【解決手段】ＣＰＵは、全放送局の番組情報の調査が終了したことを検知したときＥＰＧ画面の作成を開始し、当該放送局名に対して放送局名非表示フラグ（当該放送局での視聴年齢制限番組の総放送時間が設定時間以上である場合に設定されるフラグ）が設定されていると判定したとき、当該放送局名も非表示にして当該放送局名の放送局が放送する番組の番組名を含む番組表を非表示にする。全放送局名の検索が終了するまで、放送局名表示／非表示フラグ判定処理を含む処理を繰り返し、全放送局名の検索が終了すると、ＥＰＧ画面の作成を完了させる。そして、ＣＰＵは前記作成されたＥＰＧ画面をディスプレイ装置に表示させる。【選択図】図７
2009118360.tif 000002
【特許請求の範囲】
【請求項１】
選局指示されたアナログテレビジョン放送局からのアナログ放送信号を受信するアナログチューナと、選局指示されたデジタルテレビジョン放送局からのデジタル放送信号を受信するデジタルチューナとを備え、アナログ放送番組の映像音声信号またはデジタル放送番組の映像音声信号を出力することが可能な放送受信装置において、
特定のテレビジョン放送局から送られて来た電子番組案内データを受信してメモリに格納する電子番組案内データ格納手段と、
番組表の表示要求が有ったとき、前記メモリから電子番組案内データを読み出す電子番組案内データ読出手段と、
前記読み出された電子番組案内データに含まれる放送局名に対応する番組情報を調査する番組情報調査手段と、
前記調査された番組情報が示す番組の中で視聴制限年齢が設定されている番組が、装置に設定されている視聴制限年齢以上に該当する番組であるか否かを判定することにより、前記調査された番組情報が示す番組の中で視聴年齢制限に引っ掛かる番組が有るか否かを判定する視聴年齢制限番組有無判定手段と、
前記調査された番組情報が示す番組の中で視聴年齢制限に引っ掛かる番組が有ると判定されたとき、視聴年齢制限に引っ掛かる番組の番組名を非表示にするための番組名非表示フラグを設定する番組名非表示フラグ設定手段と、
前記視聴年齢制限に引っ掛かる番組の当該放送局での総放送時間を算出する視聴制限番組総放送時間算出手段と、
前記算出された総放送時間が設定時間以上であるか否かを判定する総放送時間判定手段と、
前記算出された総放送時間が設定時間以上であると判定されたとき当該放送局の放送局名を非表示にするための放送局名非表示フラグを設定する放送局名非表示フラグ設定手段と、
前記算出された総放送時間が設定時間未満であると判定されたとき当該放送局の放送局名を表示にするための放送局名表示フラグを設定し、また、前記視聴年齢制限番組有無判定手段により視聴年齢制限に引っ掛かる番組が無いと判定されたとき当該放送局の放送局名を表示にするための放送局名表示フラグを設定する放送局名表示フラグ設定手段と、
前記番組情報調査手段による処理および前記視聴年齢制限番組有無判定手段による処理を含む処理を繰り返し、全放送局の番組情報の調査が終了したことを検知したとき、電子番組案内画面の作成を開始する電子番組案内画面作成開始手段と、
前記電子番組案内画面の作成が開始すると、放送局名を検索して当該放送局名に対して放送局名表示フラグが設定されているか放送局名非表示フラグが設定されているかを判定する放送局名表示／非表示フラグ判定手段と、
当該放送局名に対して放送局名表示フラグが設定されていると判定されたとき、当該放送局名を表示させる放送局名表示手段と、
当該放送局名に対応する番組情報を取得して、前記番組情報に番組名非表示フラグが設定されているか番組名表示フラグが設定されているかを判定する番組名非表示／表示フラグ判定手段と、
前記番組情報に番組名非表示フラグが設定されていると判定されたとき、前記番組情報が示す番組の番組名を非表示にする番組名非表示手段と、
前記番組情報に番組名表示フラグが設定されていると判定されたとき、前記番組情報が示す番組の番組名を表示させる番組名表示手段と、
当該放送局名に対して放送局名非表示フラグが設定されていると前記放送局名表示／非表示フラグ判定手段により判定されたとき、当該放送局名も非表示にして当該番組表を非表示にする放送局名非表示手段と、
前記放送局名表示／非表示フラグ判定手段による処理を含む処理を繰り返し、全放送局名の検索が終了することにより、電子番組案内画面の作成を完了させる電子番組案内画面作成完了手段と、
前記作成された電子番組案内画面をディスプレイ装置に表示させる電子番組案内画面表示手段と、を備えたことを特徴とする放送受信装置。
【請求項２】
前記電子番組案内画面は、横軸が放送局名を示す放送局名軸と縦軸が番組の放送時間帯を示す時間軸とを有する構成、または縦軸が前記放送局名軸と横軸が前記時間軸とを有する構成であり、放送局名が非表示である場合は、当該放送局名および当該放送局名の放送局が放送する番組名の全部を非表示にして、当該放送局名および番組名の表示枠を消去することを特徴とする請求項１に記載の放送受信装置。
【請求項３】
前記装置に設定されている視聴年齢制限の年齢は、ユーザ操作により設定可能で且つ変更可能であることを特徴とする請求項１に記載の放送受信装置。
【請求項４】
前記算出された総放送時間が設定時間以上であるかの判定を行うための前記設定時間は、ユーザ操作により設定可能で且つ変更可能であることを特徴とする請求項１に記載の放送受信装置。
【発明の詳細な説明】
【技術分野】
【０００１】
本発明は、選局指示されたアナログテレビジョン放送局からのアナログ放送信号を受信するアナログチューナと、選局指示されたデジタルテレビジョン放送局からのデジタル放送信号を受信するデジタルチューナとを備え、アナログ放送番組の映像音声信号またはデジタル放送番組の映像音声信号を出力することが可能な放送受信装置に関し、特に、電子番組案内データによる番組表の表示機能に関する。
【背景技術】
【０００２】
近年、テレビ放送においては、放送される番組の情報である放送局名（チャンネル）、放送開始時刻、放送終了時刻、番組名、ジャンル、番組内容などが含まれるＥＰＧ（Electronic Program Guide；電子番組案内）データが特定の放送局からの放送電波に多重化されて送信されてくる。
【０００３】
ところで、放送局からは、視聴者の好みとは無関係に、種々の内容の番組が放送されてくる。したがって、それらの番組の中には、例えば、暴力的なシーンや性的なシーンなどを含み、子供や未成年者などにとっては好ましくない番組も含まれている。
【０００４】
そこで、暴力的なシーンや性的なシーンなどを子供や未成年者などに視聴させたくないようするため、従来の放送受信装置では、視聴年齢制限が掛かっている番組の番組名は、ＥＰＧ画面に表示できないように設定することができるように構成されている。
【特許文献１】特開２００４−１８７３２８号公報
【特許文献２】特開２０００−１７４６４９号公報
【特許文献３】特開平８−２８９２１８号公報
【発明の開示】
【発明が解決しようとする課題】
【０００５】
しかしながら、従来の放送受信装置は、視聴年齢制限が掛かっている番組の番組名を、ＥＰＧ画面に表示できないように設定することができるように構成されているが、視聴年齢制限が掛かっている番組しか放送しない放送局に対して、視聴年齢制限が掛かっている番組の番組名を、ＥＰＧ画面に表示できないように設定すると、その放送局の放送局名だけが表示されるので、子供や未成年者は、その放送局は、暴力的なシーンや性的なシーンなどを含む番組を放送していると推測されると言う課題が生じる。
【０００６】
なお、特許文献１の従来技術では、レートデータが所定の条件を満足すると判定されたときに、そのレートデータに対応する番組のチャンネルに関するチャンネル情報を選局マップから削除しているが、ＥＰＧ画面においての放送局名および番組名の削除（非表示）、あるいは番組名のみの削除（非表示）については開示されていない。
【０００７】
特許文献２の従来技術では、予め定めた条件に応じて、ＥＰＧにおける番組名、番組内容を非表示または番組選局不可とし、また必要に応じて、それらを表示または選局可能にしている。即ち、この従来技術では、予めユーザにより、デジタル放送受信機内のメモリまたはＩＣカードに視聴年齢情報を登録し、この視聴年齢情報が示す視聴年齢を超えた番組に関してのみ、その番組の番組名をマスク文字列で表示するようにしているが、視聴年齢制限が掛かっている番組しか放送しない放送局に対して、視聴年齢制限が掛かっている番組の番組名を、ＥＰＧ画面に表示できないように設定すると、その放送局の放送局名だけが表示されるので、子供や未成年者は、その放送局は、暴力的なシーンや性的なシーンなどを含む番組を放送していると推測されると言う課題が生じる。
【０００８】
特許文献３の従来技術では、マルチ画面において、年齢制限が付された画面が子画面に表示されることを防止するようにしているが、この従来技術も、視聴年齢制限が掛かっている番組しか放送しない放送局に対して、視聴年齢制限が掛かっている番組の番組名を、ＥＰＧ画面に表示できないように設定すると、その放送局の放送局名だけが表示されるので、子供や未成年者は、その放送局は、暴力的なシーンや性的なシーンなどを含む番組を放送していると推測されると言う課題が生じる。
【０００９】
本発明は、上記のような課題を解決するためになされたもので、視聴年齢制限が有る番組しか放送しない放送局に対する番組表を放送局名から表示しないように設定することも可能な放送受信装置を提供することを目的とする。
【課題を解決するための手段】
【００１０】
上記目的を達成するために、請求項１の発明は、選局指示されたアナログテレビジョン放送局からのアナログ放送信号を受信するアナログチューナと、選局指示されたデジタルテレビジョン放送局からのデジタル放送信号を受信するデジタルチューナとを備え、アナログ放送番組の映像音声信号またはデジタル放送番組の映像音声信号を出力することが可能な放送受信装置において、特定のテレビジョン放送局から送られて来た電子番組案内データを受信してメモリに格納する電子番組案内データ格納手段と、番組表の表示要求が有ったとき、前記メモリから電子番組案内データを読み出す電子番組案内データ読出手段と、前記読み出された電子番組案内データに含まれる放送局名に対応する番組情報を調査する番組情報調査手段と、前記調査された番組情報が示す番組の中で視聴制限年齢が設定されている番組が、装置に設定されている視聴制限年齢以上に該当する番組であるか否かを判定することにより、前記調査された番組情報が示す番組の中で視聴年齢制限に引っ掛かる番組が有るか否かを判定する視聴年齢制限番組有無判定手段と、前記調査された番組情報が示す番組の中で視聴年齢制限に引っ掛かる番組が有ると判定されたとき、視聴年齢制限に引っ掛かる番組の番組名を非表示にするための番組名非表示フラグを設定する番組名非表示フラグ設定手段と、前記視聴年齢制限に引っ掛かる番組の当該放送局での総放送時間を算出する視聴制限番組総放送時間算出手段と、前記算出された総放送時間が設定時間以上であるか否かを判定する総放送時間判定手段と、前記算出された総放送時間が設定時間以上であると判定されたとき当該放送局の放送局名を非表示にするための放送局名非表示フラグを設定する放送局名非表示フラグ設定手段と、前記算出された総放送時間が設定時間未満であると判定されたとき当該放送局の放送局名を表示にするための放送局名表示フラグを設定し、また、前記視聴年齢制限番組有無判定手段により視聴年齢制限に引っ掛かる番組が無いと判定されたとき当該放送局の放送局名を表示にするための放送局名表示フラグを設定する放送局名表示フラグ設定手段と、前記番組情報調査手段による処理および前記視聴年齢制限番組有無判定手段による処理を含む処理を繰り返し、全放送局の番組情報の調査が終了したことを検知したとき、電子番組案内画面の作成を開始する電子番組案内画面作成開始手段と、前記電子番組案内画面の作成が開始すると、放送局名を検索して当該放送局名に対して放送局名表示フラグが設定されているか放送局名非表示フラグが設定されているかを判定する放送局名表示／非表示フラグ判定手段と、当該放送局名に対して放送局名表示フラグが設定されていると判定されたとき、当該放送局名を表示させる放送局名表示手段と、当該放送局名に対応する番組情報を取得して、前記番組情報に番組名非表示フラグが設定されているか番組名表示フラグが設定されているかを判定する番組名非表示／表示フラグ判定手段と、前記番組情報に番組名非表示フラグが設定されていると判定されたとき、前記番組情報が示す番組の番組名を非表示にする番組名非表示手段と、前記番組情報に番組名表示フラグが設定されていると判定されたとき、前記番組情報が示す番組の番組名を表示させる番組名表示手段と、当該放送局名に対して放送局名非表示フラグが設定されていると前記放送局名表示／非表示フラグ判定手段により判定されたとき、当該放送局名も非表示にして当該番組表を非表示にする放送局名非表示手段と、前記放送局名表示／非表示フラグ判定手段による処理を含む処理を繰り返し、全放送局名の検索が終了することにより、電子番組案内画面の作成を完了させる電子番組案内画面作成完了手段と、前記作成された電子番組案内画面をディスプレイ装置に表示させる電子番組案内画面表示手段と、を備えたことを特徴とする放送受信装置を提供する。
【００１１】
この構成においては、特定のテレビジョン放送局から送られて来た電子番組案内データはメモリに格納され、番組表の表示要求が有ったとき、前記メモリから電子番組案内データが読み出され、電子番組案内データに含まれる放送局名に対応する番組情報が調査される。前記調査された番組情報が示す番組の中で視聴制限年齢が設定されている番組が、装置に設定されている視聴制限年齢以上に該当する番組であるか否かが判定されることにより、前記調査された番組情報が示す番組の中で視聴年齢制限に引っ掛かる番組が有るか否かが判定される。
【００１２】
前記調査された番組情報が示す番組の中で視聴年齢制限に引っ掛かる番組が有ると判定されたとき、視聴年齢制限に引っ掛かる番組の番組名を非表示にするための番組名非表示フラグが設定され、前記視聴年齢制限に引っ掛かる番組の当該放送局での総放送時間が算出される。そして、前記算出された総放送時間が設定時間以上であると判定されたとき、当該放送局の放送局名を非表示にするための放送局名非表示フラグが設定される。
【００１３】
前記算出された総放送時間が設定時間未満であると判定されたときは、当該放送局の放送局名を表示にするための放送局名表示フラグが設定される。また、視聴年齢制限に引っ掛かる番組が無いと判定されたとき、当該放送局の放送局名を表示にするための放送局名表示フラグが設定される。前記番組情報調査処理および前記視聴年齢制限番組有無判定処理を含む処理を繰り返し、全放送局の番組情報の調査が終了すると、電子番組案内画面の作成が開始される。
【００１４】
電子番組案内画面の作成が開始すると、放送局名が検索されて当該放送局名に対して放送局名表示フラグが設定されているか放送局名非表示フラグが設定されているかが判定される。当該放送局名に対して放送局名表示フラグが設定されていると判定されたとき、当該放送局名が表示される。次に、当該放送局名に対応する番組情報が取得され、前記番組情報に番組名非表示フラグが設定されているか番組名表示フラグが設定されているかが判定される。前記番組情報に番組名非表示フラグが設定されていると判定されたとき、前記番組情報が示す番組の番組名が非表示にされる。前記番組情報に番組名表示フラグが設定されていると判定されたとき、前記番組情報が示す番組の番組名が表示される。
【００１５】
当該放送局名に対して放送局名非表示フラグが設定されていると判定されたとき、当該放送局名も非表示にされ当該番組表が非表示にされる。前記放送局名表示／非表示フラグ判定処理を含む処理が繰り返され、全放送局名の検索が終了すると、電子番組案内画面の作成が完了し、電子番組案内画面がディスプレイ装置に表示される。
【００１６】
この構成によれば、視聴年齢制限が有る番組しか放送しない放送局に対する番組表を放送局名から表示しないように設定することも可能な放送受信装置を提供することができる。したがって、この放送受信装置を搭載したテレビジョン受像機、あるいはこの放送受信装置を搭載したセットトップボックスに接続されたテレビジョン受像機にあっては、子供や未成年者は、視聴年齢制限が有る番組を視聴することができなくなると言う効果が得られる。
【００１７】
また、この放送受信装置を搭載した、ＤＶＤレコーダ、ＢＤレコーダ、ハードディスクレコーダなどは、ディスプレイ装置に視聴年齢制限が有る番組しか放送しない放送局があった場合、この放送局の放送局名から番組表を電子番組案内画面に表示しないので、子供や未成年者は、視聴年齢制限番組を電子番組案内画面から録画予約することができないと言う効果が得られる。
【００１８】
請求項２の発明では、請求項１の発明において、電子番組案内画面は、横軸が放送局名を示す放送局名軸と縦軸が番組の放送時間帯を示す時間軸とを有する構成、または縦軸が前記放送局名軸と横軸が前記時間軸とを有する構成であり、放送局名が非表示である場合は、当該放送局名および当該放送局名の放送局が放送する番組名の全部を非表示にして、当該放送局名および番組名の表示枠を消去するようにしたので、電子番組案内画面においては、放送局名が非表示である場合、子供や未成年者に当該放送局名の放送局が有ることが知られることがない。
【００１９】
請求項３の発明では、請求項１の発明において、装置に設定されている視聴年齢制限の年齢は、ユーザ操作により設定可能で且つ変更可能であるので、使用環境に応じて装置側の視聴年齢制限の年齢を設定することができる。
【００２０】
請求項４の発明では、請求項１の発明において、算出された総放送時間が設定時間以上であるかの判定を行うための前記設定時間は、ユーザ操作により設定可能で且つ変更可能であるので、当該放送局が放送する番組の中で、視聴年齢制限が掛けられた番組の総放送時間によって、ユーザが当該放送局名を非表示にするか表示にするかを決めることができる。
【発明の効果】
【００２１】
以上のように本発明によれば、視聴年齢制限が有る番組しか放送しない放送局に対する番組表を放送局名から表示しないように設定することも可能な放送受信装置を提供することができる。したがって、この放送受信装置を搭載したテレビジョン受像機、あるいはこの放送受信装置を搭載したセットトップボックスに接続されたテレビジョン受像機にあっては、子供や未成年者は、視聴年齢制限が有る番組を視聴することができなくなると言う効果が得られる。
【００２２】
また、この放送受信装置を搭載した、ＤＶＤレコーダ、ＢＤレコーダ、ハードディスクレコーダなどは、ディスプレイ装置に視聴年齢制限が有る番組しか放送しない放送局があった場合、この放送局の放送局名から番組表を電子番組案内画面に表示しないので、子供や未成年者は、視聴年齢制限番組を電子番組案内画面から録画予約することができないと言う効果が得られる。
【発明を実施するための最良の形態】
【００２３】
以下、添付図面を参照しつつ、本発明の実施の形態について説明する。図１は本発明の一実施形態に係る放送受信装置を搭載したテレビジョン受像機の構成を示すブロック図である。ここでは、本発明の放送受信装置をテレビジョン受像機に搭載した構成について説明するが、これに限らず、本発明の放送受信装置を、ＳＴＢ（セットトップボックス）、ＤＶＤレコーダ、ＢＤレコーダ、ハードディスクレコーダなどに搭載しても良い。
【００２４】
図１において、テレビジョン受像機１は、放送受信装置Ａを搭載している。放送受信装置Ａは、ＢＳ（放送衛星）／ＣＳ（通信衛星）デジタル放送受信用のアンテナ２に接続された入力端子３と、この入力端子３に接続されたＢＳ／ＣＳチューナ４と、このＢＳ／ＣＳチューナ４に接続されたＰＳＫ（Phase Shift Keying；位相変調）復調器５と、このＰＳＫ復調器５に接続された信号処理部６と、地上デジタル放送受信用のアンテナ７に接続された入力端子８、この入力端子８に接続された地上デジタル放送受信用のチューナ（以下、デジタルチューナと言う）９と、このデジタルチューナ９および信号処理部６に接続したＯＦＤＭ（Orthogonal Frequency Division Multiplexing；直交周波数分割多重）復調器１０と、信号処理部６に接続されたグラフィック処理部１１と、信号処理部６に接続された音声処理部１２と、グラフィック処理部１１に接続されたＯＳＤ（On Screen Display ）信号処理部１３とを備えている。テレビジョン受像機１には、グラフィック処理部１１に接続された映像処理部１４を備えている。
【００２５】
また、放送受信装置Ａは、演算処理や制御を行うＣＰＵ１５、このＣＰＵ１５が実行する制御プログラムを記憶したＲＯＭ１６、ＣＰＵ１５の動作に必要なデータを一時的に格納するＲＡＭ１７、各種の設定情報および制御情報を記憶した不揮発性メモリ１８を有し、テレビジョン受像機１の全体を制御する制御部１９と、入力端子８に接続されたアナログ放送用のチューナ（以下、アナログチューナと言う）２０と、このアナログチューナ２０および信号処理部６に接続されたアナログ復調器２１と、制御部１９に接続されたタイマ部２２と、このタイマ部２２に電源供給を行うバックアップ電源２３とを備えている。
【００２６】
アンテナ２としては、通常、パラボラアンテナが用いられ、アンテナ７としては、地上波受信用の例えば、八木アンテナが用いられる。ＢＳ／ＣＳチューナ４は、衛星デジタル放送受信用であり、制御部１９の制御によって選局を行い、衛星デジタルテレビジョン放送信号を受信する。ＰＳＫ復調器５は、衛星デジタルテレビジョン放送信号をデジタルの映像信号と音声信号に復調する。
【００２７】
デジタルチューナ９は、地上デジタル放送受信用のチューナであり、制御部１９の制御によって選局を行い、地上デジタルテレビジョン放送信号を受信する。ＯＦＤＭ復調器１０は、地上デジタルテレビジョン放送信号をデジタルの映像信号と音声信号に復調する。
【００２８】
アナログチューナ２０は、従来からのアナログ放送受信用のチューナであり、制御部１９の制御によって選局を行い、アナログテレビジョン放送信号を受信する。アナログ復調器２１は、アナログテレビジョン放送信号をアナログによる映像信号と音声信号に復調する。
【００２９】
信号処理部６は、ＰＳＫ復調器５から供給されたデジタルの映像信号および音声信号と、ＯＦＤＭ復調器１０から供給されたデジタルの映像信号および音声信号とに対して、選択的に所定のデジタル信号処理を施し、グラフィック処理部１１および音声処理部１２へ出力する。また、信号処理部６は、アナログ復調器２１による復調信号をデジタル化し、それぞれの結果をグラフィック処理部１１および音声処理部１２へ出力する。
【００３０】
グラフィック処理部１１は、信号処理部６からのデジタルの映像信号に、ＯＳＤ信号生成部１３で生成されたＯＳＤ信号を重畳して出力する。また、グラフィック処理部１１は、信号処理部６からの映像信号とＯＳＤ信号生成部１３からのＯＳＤ信号を選択的に出力し、あるいは両方からの出力画面が半分づつを占めるように出力する。
【００３１】
テレビジョン受像機１の音声処理部１２は、信号処理部６からのデジタルによる音声信号を、テレビジョン受像機１のスピーカ２４が音声化可能なアナログ音声信号に変換すると共に、そのアナログ音声信号を増幅して出力する。テレビジョン受像機１の映像処理部１４は、グラフィック処理部１１からのデジタル映像信号を、テレビジョン受像機１のディスプレイ装置２５が表示可能なフォーマットのアナログ映像信号に変換してディスプレイ装置２５へ出力する。
【００３２】
制御部１９は、操作部２６からの操作信号を受け、またはリモコン（リモートコントローラ）２７からの赤外線の操作信号を受光部２８を介して受信し、その操作信号を反映した制御を行う。タイマ部２２は、例えば、水晶発振回路、分周回路などにより基準クロック信号を生成し、この基準クロック信号に基づいて時刻情報を生成するリアルタイムクロック機能、単独で動作をする自走機能、および外部から時刻情報を更新できる機能（アナログ放送信号またはデジタル放送信号に含まれる時刻情報に従ってタイマ部２２が計時している現在時刻の更新機能）を有している。このタイマ部２２は、電源オフ時には、バックアップ電源２３を電源にして動作し、テレビジョン受像機１が電源オフになっても時計動作を継続する。
【００３３】
制御部１９のＣＰＵ１５には、特定のテレビジョン放送局から送られて来た電子番組案内データを受信して不揮発性メモリ１８に格納する電子番組案内データ格納手段と、番組表の表示要求が有ったとき、不揮発性メモリ１８から電子番組案内データを読み出す電子番組案内データ読出手段と、前記読み出された電子番組案内データに含まれる放送局名に対応する番組情報を調査する番組情報調査手段と、前記調査された番組情報が示す番組の中で視聴制限年齢が設定されている番組が、装置に設定されている視聴制限年齢以上に該当する番組であるか否かを判定することにより、前記調査された番組情報が示す番組の中で視聴年齢制限に引っ掛かる番組が有るか否かを判定する視聴年齢制限番組有無判定手段と、前記調査された番組情報が示す番組の中で視聴年齢制限に引っ掛かる番組が有ると判定されたとき、視聴年齢制限に引っ掛かる番組の番組名を非表示にするための番組名非表示フラグを設定する番組名非表示フラグ設定手段と、前記視聴年齢制限に引っ掛かる番組の当該放送局での総放送時間を算出する視聴制限番組総放送時間算出手段と、前記算出された総放送時間が設定時間以上であるか否かを判定する総放送時間判定手段と、前記算出された総放送時間が設定時間以上であると判定されたとき当該放送局の放送局名を非表示にするための放送局名非表示フラグを設定する放送局名非表示フラグ設定手段と、前記算出された総放送時間が設定時間未満であると判定されたとき当該放送局の放送局名を表示にするための放送局名表示フラグを設定し、また、前記視聴年齢制限番組有無判定手段により視聴年齢制限に引っ掛かる番組が無いと判定されたとき当該放送局の放送局名を表示にするための放送局名表示フラグを設定する放送局名表示フラグ設定手段と、前記番組情報調査手段による処理および前記視聴年齢制限番組有無判定手段による処理を含む処理を繰り返し、全放送局の番組情報の調査が終了したことを検知したとき、電子番組案内画面の作成を開始する電子番組案内画面作成開始手段とが備えられている。
【００３４】
また、ＣＰＵ１５には、前記電子番組案内画面の作成が開始すると、放送局名を検索して当該放送局名に対して放送局名表示フラグが設定されているか放送局名非表示フラグが設定されているかを判定する放送局名表示／非表示フラグ判定手段と、当該放送局名に対して放送局名表示フラグが設定されていると判定されたとき、当該放送局名を表示させる放送局名表示手段と、当該放送局名に対応する番組情報を取得して、前記番組情報に番組名非表示フラグが設定されているか番組名表示フラグが設定されているかを判定する番組名非表示／表示フラグ判定手段と、前記番組情報に番組名非表示フラグが設定されていると判定されたとき、前記番組情報が示す番組の番組名を非表示にする番組名非表示手段と、前記番組情報に番組名表示フラグが設定されていると判定されたとき、前記番組情報が示す番組の番組名を表示させる番組名表示手段と、当該放送局名に対して放送局名非表示フラグが設定されていると前記放送局名表示／非表示フラグ判定手段により判定されたとき、当該放送局名も非表示にして当該番組表を非表示にする放送局名非表示手段と、前記放送局名表示／非表示フラグ判定手段による処理を含む処理を繰り返し、全放送局名の検索が終了することにより、電子番組案内画面の作成を完了させる電子番組案内画面作成完了手段と、前記作成された電子番組案内画面をディスプレイ装置２５に表示させる電子番組案内画面表示手段とが備えられている。
【００３５】
次に、テレビジョン受像機１の全体の動作について説明する。ユーザが、操作部２６またはリモコン２７の電源キーを押下すると、テレビジョン受像機１の電源がオンになる。テレビジョン受像機１の購入後の設置、電源コードを抜いたまま長時間放置した後などにおいて電源を投入したとき、リモコン２７などを用いてユーザが時刻情報を設定した場合、この時刻情報を制御部１９によりＲＡＭ１７に格納し、この時刻情報を読み出してタイマ部２３への時刻設定を実施する。以後、タイマ部２３は、自走して計時を続けるが、ＢＳ／ＣＳチューナ４、またはデジタルチューナ９により受信されたデジタル放送信号に含まれる時刻情報、またはアナログチューナ２０により受信されたアナログ放送信号に含まれる時刻情報を得ることにより、現在時刻が正しくなるように更新する。
【００３６】
ここで、ユーザがリモコン２７を操作して、ＢＳ／ＣＳデジタル放送、地上デジタル放送、またはアナログ放送の一つを選択すると、この選択に応じて、制御部１９は、チューナ４，９，２０の内の対応する一つを動作状態にする。例えば、ＢＳ／ＣＳデジタル放送が選択された場合は、アンテナ２で受信したデジタルテレビジョン放送信号は、ＢＳ／ＣＳチューナ４に入力される。ユーザが所望のチャンネルを選択すると、そのチャンネルの放送信号はＰＳＫ復調器５に入力される。ＰＳＫ復調器５は、デジタルの映像信号とデジタルの音声信号とデータ信号に復調した後、この復調信号を信号処理部６へ出力する。
【００３７】
また、アンテナ７で受信した地上デジタルおよびアナログのテレビジョン放送信号は、デジタルチューナ９およびアナログチューナ２０に入力される。デジタルチューナ９で選局された地上デジタル放送信号は、ＯＦＤＭ復調器１０によってデジタルの映像信号とデジタルの音声信号とデータ信号に復調された後、信号処理部６へ出力される。アナログチューナ２０で選局された地上アナログ放送信号は、アナログ復調器２１によってアナログの映像信号とアナログの音声信号とデータ信号に復調された後、信号処理部６へ出力される。
【００３８】
信号処理部６は、受信側からの復調信号に対し、放送系統ごとに映像信号と音声信号に所定のデジタル信号処理を施し、グラフィック処理部１１および音声処理部１２へ出力する。また、信号処理部６は、ＢＳデータ放送または地上波データ放送の情報から時刻情報を抽出し、制御部１９内のＲＡＭ１７に一旦格納する。制御部１９は、自走しているタイマ部２２の時刻情報を読み込み、この時刻情報がデータ放送から入力した時刻情報と比べてずれている場合は、データ放送より得られた時刻情報をＲＡＭ１７より取り出し、タイマ部２２に設定する。即ち、制御部１９は、タイマ部２２により計時されている時刻が正しい現在時刻になるように時刻を修正する。
【００３９】
テレビジョン受像機１の電源がオフされたり、電源コードが引き抜かれた場合、あるいは、降雨、降雪、月食などにより、デジタル放送の電波の受信状態が悪くなったりした場合、デジタル放送側からの時刻情報の入手ができなくなり、タイマ部２２の時刻更新は行われなくなる。電源オフになっても、バックアップ電源２３からタイマ部２２に電源供給が行われ、タイマ部２２は機能を維持する。これにより、時刻情報は更新され、電源オフ後に電源を立ち上げた際、制御部１９は、タイマ部２２より時刻情報を取り込み、ＯＳＤ信号生成部１３へ出力する。ＯＳＤ信号生成部１３は、時刻情報を文字情報に変換してグラフィック処理部１１へ出力する。グラフィック処理部１１は、文字情報を信号処理部６からの映像信号に重畳し、更に映像処理部１４によって色調整が行われる。このようにして得られた映像信号が、ディスプレイ装置２５に時刻情報として時計が表示される。
【００４０】
グラフィック処理部１１からのデジタル映像信号は、映像処理部１４によって、ディスプレイ装置２５で表示可能なフォーマットのアナログ映像信号に変換された後、ディスプレイ装置２５に入力される。また、音声処理部１２では、信号処理部６からのデジタルによる音声信号をアナログの音声信号に変換し、このアナログの音声信号によりスピーカ２４を駆動させ、スピーカ２４から音声を出力させる。
【００４１】
図２は本実施形態においてテレビジョン受像機に視聴年齢制限が掛けられていない場合にディスプレイ装置に表示されるＥＰＧ画面の一例を示す図である。
【００４２】
図２に示すＥＰＧ画面２００の例では、２００７年１０月８日の放送時間帯がＰＭ９時からＡＭ０時（正確にはＰＭ１１時５９分５９秒）までのＡテレビ〜Ｆテレビまでの番組表が表示されている。例えば、３チャンネルのＡテレビでは、番組名として「なつかしのメロディ」「ニュースワールド」が表示されている。４チャンネルのＢテレビでは、番組名として「ニューライフ」「ショックな出来事」「スペシャルトーク」が表示されている。５チャンネルのＣテレビでは、番組名として「ロシア語」「英会話」「フランス語」が表示されている。６チャンネルのＤテレビでは、番組名として「私のこだわり」「アニメライブ」「オーラの光」が表示されている。７チャンネルのＥテレビでは、番組名として「実際にあった怖い話」「イレブン映像」が表示されている。８チャンネルのＦテレビでは、番組名として「スターミュージック」「ニュースコレクション」が表示されている。
【００４３】
なお、このＥＰＧ画面２００は、例えば、リモコンの上下方向キーの操作により、他の時間帯の番組の番組名を表示させたり、リモコンの左右方向キーの操作により、現在表示されているチャンネルの番組名以外のチャンネルの番組名を表示させたり、あるいは例えば、リモコンの日にち変更キーの操作により、現在の日から長くて８日までの番組表を表示させることができる。
【００４４】
図３は本実施形態においてテレビジョン受像機に視聴年齢制限が掛けられている場合で且つ視聴年齢制限に引っ掛かる番組の総放送時間と比較する設定時間が長く設定されている場合におけるＥＰＧ画面の一例を示す図である。
【００４５】
図３に示すＥＰＧ画面３００の例では、２００７年１０月８日の放送時間帯がＰＭ９時からＡＭ０時（正確にはＰＭ１１時５９分５９秒）までのＡ，Ｂ，Ｃ，Ｄ，Ｆ，Ｇテレビの番組表が表示されている。例えば、３チャンネルのＡテレビでは、番組名として「なつかしのメロディ」「ニュースワールド」が表示されている。４チャンネルのＢテレビでは、番組名として「ニューライフ」「スペシャルトーク」が表示されている。５チャンネルのＣテレビでは、番組名として「ロシア語」「英会話」「フランス語」が表示されている。６チャンネルのＤテレビでは、番組名として「私のこだわり」「アニメライブ」「オーラの光」が表示されている。８チャンネルのＦテレビでは、番組名として「スターミュージック」「ニュースコレクション」が表示されている。９チャンネルのＧテレビでは、番組名として「ドラマナイン」「ニュース１１」が表示されている。
【００４６】
図３に示すＥＰＧ画面３００と図２に示すＥＰＧ画面２００とを見比べると、ＥＰＧ画面３００では、ＥＰＧ画面２００における番組名「ショックな出来事」が表示されていない。これは、番組名「ショックな出来事」の番組が視聴年齢制限に引っ掛かるが（図６のステップＡ２のＹｅｓ）、Ｂテレビにおける視聴年齢制限番組の総放送時間が設定時間未満であるので（図６のステップのＮｏ）、放送局名（Ｂテレビ）が表示されている例を示している。
【００４７】
また、ＥＰＧ画面３００では、ＥＰＧ画面２００におけるＥテレビの番組が表示されていない。即ち、放送局名「（７）Ｅテレビ」および番組名「実際にあった怖い話」「イレブン映像」が表示されていない。この場合は、Ｅテレビの番組が無いものとしてＥＰＧ画面３００には表示されていない。このように（７）Ｅテレビおよびその番組名を表示せずに、（６）Ｄテレビおよびその番組名に引き続き、（８）Ｆテレビおよびその番組名を表示させることにより、視聴年齢制限が掛かっている番組およびこの番組を放送する放送局があることを子供や未成年者に知られることがない。
【００４８】
このように放送局名「（７）Ｅテレビ」およびその番組名を表示しない状態になるのは、番組名「実際にあった怖い話」と「イレブン映像」の番組が視聴年齢制限に引っ掛かり（図６のステップＡ２のＹｅｓ）、更にＥテレビにおける視聴年齢制限番組の総放送時間が設定時間以上（図６のステップＡ６のＹｅｓ）である場合に生じる。例えば、設定時間が２０時間であれば、Ｅテレビは、２４時間中に２０時間以上、視聴年齢制限番組を放送していることになるので、放送局名「（７）Ｅテレビ」およびその番組名を表示しない状態にされる。要するに、放送局名が非表示である場合は、当該放送局名および当該放送局名の放送局が放送する番組名の全部を非表示にして、当該放送局名および番組名の表示枠を消去する。これにより、ＥＰＧ画面３００においては、放送局名が非表示である場合、子供や未成年者に当該放送局名の放送局が有ることが知られることがない。
【００４９】
図４は本実施形態においてテレビジョン受像機に視聴年齢制限が掛けられている場合で且つ視聴年齢制限に引っ掛かる番組の総放送時間と比較する設定時間が短く設定されている場合におけるＥＰＧ画面の一例を示す図である。
【００５０】
図４に示すＥＰＧ画面４００の例では、２００７年１０月８日の放送時間帯がＰＭ９時からＡＭ０時（正確にはＰＭ１１時５９分５９秒）までのＡ，Ｃ，Ｄ，Ｆ，Ｇ，Ｈテレビの番組表が表示されている。例えば、３チャンネルのＡテレビでは、番組名として「なつかしのメロディ」「ニュースワールド」が表示されている。５チャンネルのＣテレビでは、番組名として「ロシア語」「英会話」「フランス語」が表示されている。６チャンネルのＤテレビでは、番組名として「私のこだわり」「アニメライブ」「オーラの光」が表示されている。８チャンネルのＦテレビでは、番組名として「スターミュージック」「ニュースコレクション」が表示されている。９チャンネルのＧテレビでは、番組名として「ドラマナイン」「ニュース１１」が表示されている。１０チャンネルのＨテレビでは、番組表として「ギター演奏会」「歌謡パラダイス」「ステージワン」が表示されている。
【００５１】
図４に示すＥＰＧ画面４００と図２に示すＥＰＧ画面２００とを見比べると、ＥＰＧ画面４００では、ＥＰＧ画面２００における放送局名「（４）Ｂテレビ」および番組名「ニューライフ」「ショックな出来事」「スペシャルトーク」が表示されていない。これは、番組名「ショックな出来事」の番組が視聴年齢制限に引っ掛かり（図６のステップＡ２のＹｅｓ）、Ｂテレビにおける視聴年齢制限番組の総放送時間が設定時間（例えば１時間）以上であるので（図６のステップのＹｅｓ）、放送局名「（４）Ｂテレビ」および番組名「ニューライフ」「ショックな出来事」「スペシャルトーク」が表示されていない。即ち、「（４）Ｂテレビ」という放送局名が表示されないと共に、Ｂテレビが放送する全ての番組の番組名が表示されない。
【００５２】
また、ＥＰＧ画面４００では、ＥＰＧ画面２００におけるＥテレビの番組が表示されていない。即ち、放送局名「（７）Ｅテレビ」および番組名「実際にあった怖い話」「イレブン映像」が表示されていない。この場合は、Ｅテレビの番組が無いものとしてＥＰＧ画面４００には表示されていない。このように（７）Ｅテレビおよびその番組名を表示せずに、（６）Ｄテレビおよびその番組名に引き続き（８）Ｆテレビおよびその番組名を表示させることにより、視聴年齢制限が掛かっている番組があることを子供や未成年者に知られることがない。
【００５３】
このように、放送局名「（４）Ｂテレビ」およびその番組名ならびに放送局名「（７）Ｅテレビ」およびその番組名を表示しない状態になるのは、番組名「ショックな出来事」と「実際にあった怖い話」と「イレブン映像」の番組が視聴年齢制限に引っ掛かり（図６のステップＡ２のＹｅｓ）、更にＢテレビとＥテレビにおけるそれぞれの視聴年齢制限番組の総放送時間が設定時間以上（図６のステップＡ６のＹｅｓ）である場合に生じる。例えば、設定時間が１時間であれば、ＢテレビやＥテレビは、２４時間中に１時間以上、視聴年齢制限番組を放送していることになるので、放送局名「（４）Ｂテレビ」およびその番組名ならびに放送局名「（７）Ｅテレビ」およびその番組名を表示しない状態にされる。
【００５４】
なお、図３に示すようなＥＰＧ画面３００や図４に示すようなＥＰＧ画面４００は、装置側の視聴年齢制限の機能を解除するためのパスワードをリモコン２７の操作により制御部１９（図１参照）に入力すれば、その機能が解除され、図３に示すようなＥＰＧ画面３００や図４に示すようなＥＰＧ画面４００に代って、図２に示すようなＥＰＧ画面２００がディスプレイ装置２５に表示される。
【００５５】
図２に示すようなＥＰＧ画面２００、図３に示すようなＥＰＧ画面３００、図４に示すようなＥＰＧ画面４００は、横軸が放送局名を示す放送局名軸と、縦軸が番組の放送時間帯を示す時間軸とを有する構成であるが、縦軸が前記放送局名軸と、横軸が前記時間軸とを有する構成であっても良い。
【００５６】
図５は本実施形態においてテレビジョン受像機がＥＰＧデータを受信してからＥＰＧ画面を表示するまでの処理を説明するためのフローチャートである。このフローチャートおよび図１を参照してテレビジョン受像機がＥＰＧデータを受信してからＥＰＧ画面を表示するまでの処理について説明する。
【００５７】
放送受信装置Ａにおける制御部１９のＣＰＵ１５が、特定放送局からのＥＰＧデータを、例えばデジタルチューナ９を介して受信すると（ステップＳ１）、ＣＰＵ１５の電子番組案内データ格納手段は、そのＥＰＧデータを不揮発性メモリ１８に格納する（ステップＳ２）。この後、ユーザによるリモコン２７の番組表キーの操作により、ＣＰＵ１５の電子番組案内データ読出手段は、番組表の表示要求が有ったことを検知し（ステップＳ３）、不揮発性メモリ１８からＥＰＧデータを読み出す（ステップＳ７）。
【００５８】
なお、不揮発性メモリ１８に格納されたＥＰＧデータは、例えば、午前０時になると（ステップＳ４）、ＣＰＵ１５は、例えばデジタルチューナ９を介してＥＰＧデータを受信し（ステップＳ５）、不揮発性メモリ１８のＥＰＧデータを上書きして更新する（ステップＳ６）。なお、ＥＰＧデータを更新する時刻は、午前０時に限らず、放送局から送信されるＥＰＧデータが更新される時刻に合わせれば、ＥＰＧデータを最も早く更新させることができる。
【００５９】
不揮発性メモリ１８からＥＰＧデータが読み出された後（ステップＳ７）、ＣＰＵ１５の番組情報調査手段は、前記読み出されたＥＰＧデータに含まれる放送局名に対応する番組情報を調査し、放送局名の表示／非表示を行う処理を実行する（ステップＳ８）。放送局名の表示／非表示を行う処理については、後述する図６のフローチャートにおいて説明する。
【００６０】
放送局名の表示／非表示の処理が実行された後、ＣＰＵ１５は、ＥＰＧ画面の作成処理を行う（ステップＳ９）。このＥＰＧ画面の作成処理については、後述する図７のフローチャートにおいて説明する。ＥＰＧ画面の作成処理が行われた後、ＣＰＵ１５は、その作成されたＥＰＧ画面のデータを、ＯＳＤ信号生成部１３、グラフィック処理部１１および映像処理部１４で各処理を行い、ディスプレイ装置２５に供給することにより、ＥＰＧ画面をディスプレイ装置２５に表示させる（ステップＳ１０）。
【００６１】
図６は図５に示すステップＳ８の処理である放送局名の表示／非表示の処理を詳細に示したフローチャートである。このフローチャートおよび図１を参照して放送局名の表示／非表示の処理について説明する。
【００６２】
ＣＰＵ１５の電子番組案内データ読出手段が、不揮発性メモリ１８からＥＰＧデータを読み出した（ステップＳ７）後、ＣＰＵ１５の番組情報調査手段は、前記読み出されたＥＰＧデータに含まれる放送局名に対応する番組情報を調査する（ステップＡ１）。ＣＰＵ１５の番組情報調査手段は、例えば、このテレビジョン受像機１で放送信号を受信できる放送局の放送局名が、Ａテレビ、Ｂテレビ、Ｃテレビ、Ｄテレビ、Ｅテレビ、Ｆテレビ、Ｇテレビ、Ｈテレビであれば、先ずＡテレビが放送する番組情報を調査する。
【００６３】
そして、ＣＰＵ１５の視聴年齢制限番組有無判定手段は、前記調査された番組情報が示す番組の中で視聴制限年齢が設定されている番組が、装置に設定されている視聴制限年齢以上に該当する番組であるか否かを判定することにより、前記調査された番組情報が示す番組の中で視聴年齢制限に引っ掛かる番組が有るか否かを判定する（ステップＡ２）。
【００６４】
前記調査された番組情報が示す番組の中で視聴年齢制限に引っ掛かる番組が有ると判定されたとき、ＣＰＵ１５の番組名非表示フラグ設定手段は、視聴年齢制限に引っ掛かる番組の番組名を非表示にするための番組名非表示フラグを設定する（ステップＡ３）。ＣＰＵ１５の番組名非表示フラグ設定手段は、例えば、Ａテレビが放送する番組の中で、視聴年齢制限に引っ掛かる番組の番組名を非表示にするための番組名非表示フラグを設定する。
【００６５】
このようなステップＡ２〜Ａ３の処理を繰り返し、当該放送局（例えばＡテレビ）が放送する番組の番組情報の調査が終了すると（ステップＡ４）、ＣＰＵ１５の視聴制限番組総放送時間算出手段は、当該放送局が放送する番組の中で視聴年齢制限に引っ掛かる番組の当該放送局での総放送時間を算出する（ステップＡ５）。例えば、視聴制限番組総放送時間算出手段は、Ａテレビが放送する番組の中で視聴年齢制限に引っ掛かる番組の総放送時間を算出する。
【００６６】
そして、ＣＰＵ１５の総放送時間判定手段は、前記算出された総放送時間が設定時間以上であるか否かを判定する（ステップＡ６）。前記設定時間は、ユーザ操作により、設定可能で且つ変更可能である。即ち、前記設定時間を設定するには、ユーザがリモコン２７を操作して、設定時間を入力するための設定時間入力画面をディスプレイ装置２５に表示させ、設定時間の入力枠に時間を入力することにより、設定時間を設定したり、変更したりすることができる。設定時間の時間数を２４時間以内で例えば２０時間に設定した場合で、前記算出された総放送時間が設定時間以上であると判定されたときは、当該放送局は、視聴年齢制限に引っ掛かる番組の放送時間が２０時間以上であることを示す。
【００６７】
前記算出された総放送時間が設定時間以上であると判定されたとき、ＣＰＵ１５の放送局名非表示フラグ設定手段は、当該放送局の放送局名を非表示にするための放送局名非表示フラグを設定する（ステップＡ７）。前記算出された総放送時間が設定時間未満であると判定されたとき、ＣＰＵ１５の放送局名表示フラグ設定手段は、当該放送局の放送局名を表示にするための放送局名表示フラグを設定する（ステップＡ８）。
【００６８】
一方、ステップＡ２において、ＣＰＵ１５の視聴年齢制限番組有無判定手段は、前記調査された番組情報が示す番組の中で視聴制限年齢が設定されている番組が、装置に設定されている視聴制限年齢未満であると判定することにより、前記調査された番組情報が示す番組の中で視聴年齢制限に引っ掛かる番組が無いと判定したとき、ＣＰＵ１５の放送局名表示フラグ設定手段は、当該放送局名を表示にするための放送局名表示フラグを設定する（ステップＡ９）。
【００６９】
以上のように、番組情報調査手段による処理（ステップＡ１）および視聴年齢制限番組有無判定手段による処理（ステップＡ２）を含む処理を繰り返し、ＣＰＵ１５の電子番組案内画面作成開始手段は、前記全放送局の番組情報の調査が終了したことを検知したとき（ステップＡ１０）、ＥＰＧ画面の作成を開始する（図７に示すステップＢ１）。
【００７０】
図７は図５に示すステップＳ９の処理であるＥＰＧ画面の作成処理を詳細に示したフローチャートである。このフローチャートおよび図１を参照してＥＰＧ画面の作成処理について説明する。
【００７１】
ＣＰＵ１５の電子番組案内画面作成開始手段は、前記全放送局の番組情報の調査が終了したことを検知したとき（ステップＡ１０）、ＥＰＧ画面の作成を開始する（ステップＢ１）。そして、ＣＰＵ１５の放送局名表示／非表示フラグ判定手段は、放送局名を検索して（ステップＢ２）、当該放送局名に対して放送局名表示フラグが設定されているか放送局名非表示フラグが設定されているかを判定する（ステップＢ３）。
【００７２】
当該放送局名に対して放送局名表示フラグが設定されていると判定されたとき、ＣＰＵ１５の放送局名表示手段は、当該放送局名を表示させる（ステップＢ４）。次に、ＣＰＵ１５の番組名非表示／表示フラグ判定手段は、当該放送局名に対応する番組情報を取得して（ステップＢ５）、その番組情報に番組名非表示フラグが設定されているか番組名表示フラグが設定されているかを判定する（ステップＢ６）。
【００７３】
前記番組情報に番組名非表示フラグが設定されていると判定されたとき、ＣＰＵ１５の番組名非表示手段は、前記番組情報が示す番組の番組名を非表示にする（ステップＢ７）。前記番組情報に番組名表示フラグが設定されていると判定されたとき、ＣＰＵ１５の番組名表示手段は、前記番組情報が示す番組の番組名を表示させる（ステップＢ８）。
【００７４】
また、当該放送局名に対して放送局名非表示フラグが設定されていると放送局名表示／非表示フラグ判定手段により判定されたとき（ステップＢ３）、ＣＰＵ１５の放送局名非表示手段は、当該放送局名も非表示にして、当該放送局名の放送局が放送する番組の番組名を含む番組表を非表示にする（ステップＢ９）。
【００７５】
ＣＰＵ１５は、ステップＢ７またはステップＢ８またはステップＢ９の処理の後、ステップＢ１０の処理に移り、全放送局名の検索が終了するまで、放送局名表示／非表示フラグ判定手段による処理（ステップＢ３）を含む処理を繰り返し、全放送局名の検索が終了すると、電子番組案内画面作成完了手段によりＥＰＧ画面の作成を完了させる（ステップＢ１１）。そして、ＣＰＵ１５の電子番組案内画面表示手段は、前記作成されたＥＰＧ画面をディスプレイ装置２５に表示させる（図５中のステップＳ１０）。
【００７６】
以上説明したように本実施形態によれば、視聴年齢制限が有る番組しか放送しない放送局に対する番組表を放送局名から表示しないように設定することも可能な放送受信装置を提供することができる。したがって、この放送受信装置を搭載したテレビジョン受像機、あるいはこの放送受信装置を搭載したセットトップボックスに接続されたテレビジョン受像機にあっては、子供や未成年者は、視聴年齢制限が有る番組を視聴することができなくなると言う効果が得られる。
【００７７】
また、この放送受信装置を搭載した、ＤＶＤレコーダ、ＢＤレコーダ、ハードディスクレコーダなどは、ディスプレイ装置に視聴年齢制限が有る番組しか放送しない放送局があった場合、この放送局の放送局名から番組表をＥＰＧ画面に表示しないので、視聴年齢制限番組をＥＰＧ画面から録画予約することができないと言う効果が得られる。
【産業上の利用可能性】
【００７８】
本発明の放送受信装置は、セットトップボックス、テレビジョン受像機、ＤＶＤレコーダ、ＢＤレコーダ、ハードディスクレコーダなどのＥＰＧ画面表示機能に利用可能である。
【図面の簡単な説明】
【００７９】
【図１】本発明の一実施形態に係る放送受信装置を搭載したテレビジョン受像機の構成を示すブロック図である。
【図２】前記実施形態においてテレビジョン受像機に視聴年齢制限が掛けられていない場合にディスプレイ装置に表示されるＥＰＧ画面の一例を示す図である。
【図３】前記実施形態においてテレビジョン受像機に視聴年齢制限が掛けられている場合で且つ視聴年齢制限に引っ掛かる番組の総放送時間と比較する設定時間が長く設定されている場合におけるＥＰＧ画面の一例を示す図である。
【図４】前記実施形態においてテレビジョン受像機に視聴年齢制限が掛けられている場合で且つ視聴年齢制限に引っ掛かる番組の総放送時間と比較する設定時間が短く設定されている場合におけるＥＰＧ画面の一例を示す図である。
【図５】前記実施形態においてテレビジョン受像機がＥＰＧデータを受信してからＥＰＧ画面を表示するまでの処理を説明するためのフローチャートである。
【図６】図５に示すステップＳ８の処理である放送局名の表示／非表示の処理を詳細に示したフローチャートである。
【図７】図５に示すステップＳ９の処理であるＥＰＧ画面の作成処理を詳細に示したフローチャートである。
【符号の説明】
【００８０】
Ａ    放送受信装置
９    デジタルチューナ
１５    ＣＰＵ（電子番組案内データ格納手段、電子番組案内データ読出手段、番組情報調査手段、視聴年齢制限番組有無判定手段、番組名非表示フラグ設定手段、視聴制限番組総放送時間算出手段、総放送時間判定手段、放送局名非表示フラグ設定手段、放送局名表示フラグ設定手段、電子番組案内画面作成開始手段、放送局名表示／非表示フラグ判定手段、放送局名表示手段、番組名非表示／表示フラグ判定手段、番組名非表示手段、番組名表示手段、放送局名非表示手段、電子番組案内画面作成完了手段、電子番組案内画面表示手段）
２０    アナログチューナ
２００，３００，４００    ＥＰＧ画面（電子番組案内画面）
【図１】
2009118360.tif 000003
【図２】
2009118360.tif 000004
【図３】
2009118360.tif 000005
【図４】
2009118360.tif 000006
【図５】
2009118360.tif 000007
【図６】
2009118360.tif 000008
【図７】
2009118360.tif 000009